(57)【要約】【課題】ランプ取替え構造の提供。【解決手段】本考案は一種のランプ取替え構造であり、ランプホルダーと光源部を含めている。ランプホルダーの真ん中には光源部の挿入ソケットがあり、光源部にはランプコネクタと高圧放電ランプがある。高圧放電ランプはランプコネクタに設けられ、ランプコネクタは取り外せるようにランプホルダーにある光源部の挿入ソケットに嵌っている。高圧放電ランプはランプコネクタを介してランプホルダーと電気的に接続されている。【選択図】図２
0003130662.tif 000002
【実用新案登録請求の範囲】
【請求項１】
一種のランプ取替え構造において、ランプホルダーと光源部を含み、
ランプホルダーは真ん中には光源部の挿入ソケットを具え、
光源部はランプコネクタと高圧放電ランプを具え、当該高圧放電ランプはランプコネクタに設けられ、そして、当該ランプコネクタは外せるようにランプホルダーにある光源部の挿入ソケットに嵌り、当該高圧放電ランプはランプコネクタを介してランプホルダーと電気的に接続していることを特徴とするランプ取替え構造。
【請求項２】
請求項１記載のランプ取替え構造において、前記ランプホルダーには第一嵌合部を具え、ランプコネクタには第二嵌合部を具え、ランプコネクタがランプホルダーにある光源部の挿入ソケットに嵌った時に、第一嵌合部と第二嵌合部は噛合って光源部を固定させることを特徴とするランプ取替え構造。
【請求項３】
請求項２記載のランプ取替え構造において、前記第一嵌合部はL形の凹槽になっており、第二嵌合部は柱状になっていることを特徴とするランプ取替え構造。
【請求項４】
請求項２記載のランプ取替え構造において、前記第一嵌合部は光源部の挿入ソケットの対称位置に設けられた複数個の凹槽であることを特徴とするランプ取替え構造。
【請求項５】
請求項４記載のランプ取替え構造において、前記第二嵌合部はランプコネクタに第一嵌合部に対応する位置に設けられる柱状のものであることを特徴とするランプ取替え構造。
【請求項６】
請求項１記載のランプ取替え構造において、前記光源部の挿入ソケットの中央部には第一端子を具え、光源部の挿入ソケットの周縁に第二端子が設けられ、ランプコネクタが第一端子に対応する位置に第三端子が設けられ、第二端子の位置に対応する箇所に第四端子が設けられ、ランプコネクタが光源部の挿入ソケットに嵌った時に、第一端子と第三端子は電気的に接続され、そして、第二端子と第四端子は電気的に接続されることを特徴とするランプ取替え構造。
【考案の詳細な説明】
【技術分野】
【０００１】
本考案は一種のランプ取替え構造に関するものであり、特に高圧放電ランプ用のランプ取替え構造を指している。
【背景技術】
【０００２】
図１が示すように、周知の高圧放電ランプの光源(1)には高圧放電ランプ(2)とランプホルダー(3)がある。高圧放電ランプ(2)はランプホルダー(3)に設けられ、ランプホルダー(3)の外側には挿入ソケット(4)がある。内部には高圧放電ランプを駆動するのに必要の電子部品(5)が設置されている。高圧放電ランプ(2)は電子部品(5)と挿入ソケット(4)を介して外部の電源供給装置(図示には示されていない)と電気的に接続する。高圧放電ランプ(2)が損壊になった時に、高圧放電ランプ(2)はランプホルダー(3)に置かれているため、高圧放電ランプ(2)を取り替えるには、まず、ランプホルダー(3)を外してから、煩雑な処理で高圧放電ランプ(2)を取り外さなければならない。この作業は時間がかかるし、ランプホルダー(3)をも同時に取り替えなければならないので、高いコストがかかってしまう。
【考案の開示】
【考案が解決しようとする課題】
【０００３】
本考案はランプ取替え構造であり、主には一種のランプ取替え構造を提供し、ランプホルダーとランプコネクタの間が外せる特性を利用することにより、ランプ取替え作業の簡素化と光源部の取替えコストの削減を図るものである。
【０００４】
前述の目的に基づき、本考案のランプ取替え構造は、真ん中に光源部の挿入ソケットが設けられているランプホルダー及び、ランプコネクタと高圧放電ランプを持つ光源部を含んでいる。高圧放電ランプはランプコネクタに設けられ、ランプコネクタは取り外せるようにランプホルダーにある光源部の挿入ソケットに嵌まっている。高圧放電ランプはランプコネクタを介してランプホルダーと電気的に接続している。光源部トランプホルダーの間の外せる特性を利用することにより、高圧放電ランプが損壊になった時に、ランプホルダーを取り替えることなく、光源部だけの取替えでよいので、点検コストを有効に削減でき、そして、取替え作業の簡素化も図れる。
【課題を解決するための手段】
【０００５】
請求項１の考案は、一種のランプ取替え構造において、ランプホルダーと光源部を含み、
ランプホルダーは真ん中には光源部の挿入ソケットを具え、
光源部はランプコネクタと高圧放電ランプを具え、当該高圧放電ランプはランプコネクタに設けられ、そして、当該ランプコネクタは外せるようにランプホルダーにある光源部の挿入ソケットに嵌り、当該高圧放電ランプはランプコネクタを介してランプホルダーと電気的に接続していることを特徴とするランプ取替え構造としている。
請求項２の考案は、請求項１記載のランプ取替え構造において、前記ランプホルダーには第一嵌合部を具え、ランプコネクタには第二嵌合部を具え、ランプコネクタがランプホルダーにある光源部の挿入ソケットに嵌った時に、第一嵌合部と第二嵌合部は噛合って光源部を固定させることを特徴とするランプ取替え構造としている。
請求項３の考案は、請求項２記載のランプ取替え構造において、前記第一嵌合部はL形の凹槽になっており、第二嵌合部は柱状になっていることを特徴とするランプ取替え構造としている。
請求項４の考案は、請求項２記載のランプ取替え構造において、前記第一嵌合部は光源部の挿入ソケットの対称位置に設けられた複数個の凹槽であることを特徴とするランプ取替え構造としている。
請求項５の考案は、請求項４記載のランプ取替え構造において、前記第二嵌合部はランプコネクタに第一嵌合部に対応する位置に設けられる柱状のものであることを特徴とするランプ取替え構造としている。
請求項６の考案は、請求項１記載のランプ取替え構造において、前記光源部の挿入ソケットの中央部には第一端子を具え、光源部の挿入ソケットの周縁に第二端子が設けられ、ランプコネクタが第一端子に対応する位置に第三端子が設けられ、第二端子の位置に対応する箇所に第四端子が設けられ、ランプコネクタが光源部の挿入ソケットに嵌った時に、第一端子と第三端子は電気的に接続され、そして、第二端子と第四端子は電気的に接続されることを特徴とするランプ取替え構造としている。
【考案の効果】
【０００６】
本考案は、高圧放電ランプが損壊しても、光源部だけの取替えで済むし、ランプホルダーが損壊の時でも、ランプホルダーだけの取替えでよいので、当構造は取り外せる特性を持ち、点検コストの削減、そして迅速の組立が実現できる。
【考案を実施するための最良の形態】
【０００７】
図２は本考案のランプ取替え構造に関する立体分解図である。図３は本考案のランプ取替え構造に関する組立図である。図４は本考案のランプ取替え構造を正面から見る断面図を示している。図５は本考案のランプ取替え構造を側面から見る断面図を示している。図６は本考案のランプ取替え構造に関する第二実施例の立体図である。
図２、図３、図４、図５を参照すること。本考案のランプ取替え構造は主に、真ん中に光源部の挿入ソケット(11)を設けているランプホルダー(10)及び、ランプコネクタ(21)と高圧放電ランプ(22)を持つ光源部(20)を含めている。高圧放電ランプ(22)はランプコネクタ(21)に設けられ、ランプコネクタ(21)は外せるようにランプホルダー(10)の光源部の挿入ソケット(11)に嵌っている。そして、高圧放電ランプ(22)はランプコネクタ(21)を介してランプホルダー(10)と電気的に接続している。
【０００８】
以上のように、光源部の挿入ソケット(11)には二つの第一嵌合部(14)があり、これはL形の凹槽になっており、光源部の挿入ソケット(11)内の対称位置に設けられている。光源部の挿入ソケット(11)内の真ん中に第一端子(12)があり、周縁には第二端子(13)が設けられる。ランプコネクタ(21)外の表面に第二嵌合部(211)があり、これは柱状になっており、ランプコネクタ(21)外の表面の対称位置に設けられる。ランプコネクタ(21)が光源部の挿入ソケット(11)の中央部に対応するところに第三端子(212)が設けられ、外部の周縁には第四端子(213)が設けられる。第2図が示すように、光源部(20)を軸方向に沿って光源部の挿入ソケット(11)に挿入してから、水平方向へ回転する。このように第二嵌合部(211)を第一嵌合部(14)のL形凹槽に嵌めさせる。また、第4図と第5図が示すように、光源部(20)が光源部の挿入ソケット(11)に挿入された後に、光源部の挿入ソケット(11)内の第一端子(12)と光源部(20)の第三端子(212)は電気的に接続される。そして、光源部の挿入ソケット(11)内の第二端子(13)と光源部(20)の第四端子(213)は電気的に接続される。
【０００９】
図６のように、本考案の第二実施例におけるランプホルダー(10)の真ん中には光源部の挿入ソケット(11)が設置されている。光源部の挿入ソケット(11)内の真ん中に第一端子(12)が設けられ、周縁には第二端子(13)、そして少なくとも四つの第一嵌合部(14)がある。これらの第一嵌合部(14)は90度の直角になっているため、光源部は違う方向からでも光源部の挿入ソケット(11)に挿入できる。また、第4図と第5図のように、光源部(20)が光源部の挿入ソケット(11)に挿入された後、光源部の挿入ソケット(11)内の第一端子(12)と光源部(20)の第三端子(212)は電気的に接続される。そして、光源部の挿入ソケット(11)内の第二端子(13)と光源部(20)の第四端子(213)は電気的に接続される。
【図面の簡単な説明】
【００１０】
【図１】従来の高圧放電ランプの組立図。
【図２】本考案のランプ取替え構造の立体分解図。
【図３】本考案のランプ取替え構造の組立図。
【図４】本考案のランプ取替え構造を正面から見る断面図。
【図５】本考案のランプ取替え構造を側面から見る断面図。
【図６】本考案のランプ取替え構造に関する第二実施例の立体図。
【符号の説明】
【００１１】
(1)  高圧放電ランプの光源
(2)  高圧放電ランプ
(3)  ランプホルダー
(4)  挿入ソケット
(5)  電子部品
(10)  ランプホルダー
(11)  光源部の挿入ソケット
(12)  第一端子
(13)  第二端子
(14)  第一嵌合部
(20)  光源部
(21)  ランプコネクタ
(22)  高圧放電ランプ
(211)  第二嵌合部
(212)  第三端子
(213)  第四端子
【図１】
0003130662.tif 000003
【図２】
0003130662.tif 000004
【図３】
0003130662.tif 000005
【図４】
0003130662.tif 000006
【図５】
0003130662.tif 000007
【図６】
0003130662.tif 000008